【手続補正書】
【提出日】平成22年9月10日(2010.9.10)
【手続補正１】
【補正対象書類名】特許請求の範囲
【補正対象項目名】全文
【補正方法】変更
【補正の内容】
【特許請求の範囲】
【請求項１】
半導体ナノ結晶を含むエレクトロルミネセントディスプレイであって、前記半導体ナノ結晶が、所定のパターンにおいて１つまたは複数の所定の波長で発光することができる、エレクトロルミネセントディスプレイ。
【請求項２】
基板と、前記基板の上に配置されている第１の電極と、前記第１の電極の上に配置されている絶縁材料を含み、所定のパターンにおいて絶縁材料によって覆われてない前記第１の電極の一部を残すように前記第１の電極の一部を覆う絶縁層と、少なくとも前記絶縁層によって覆われてない前記第１の電極の前記一部の上に配置されている、半導体ナノ結晶を含む発光材料を含む活性領域と、前記活性領域および前記活性領域によって覆われていない前記絶縁層の任意の部分の上に配置されている第２の電極とを含む、エレクトロルミネセントディスプレイ。
【請求項３】
前記絶縁層および活性領域の順序が反転している、請求項２に記載のエレクトロルミネセントディスプレイ。
【請求項４】
基板と、前記基板の上に配置されている第１の電極と、前記第１の電極の少なくとも一部の上に配置されている、半導体ナノ結晶を含む発光材料を含む活性領域であって、サイズ、形状および位置が、所定のパターンの少なくともサイズ、形状および位置に対応する活性領域と、前記所定のパターンにおいて絶縁材料によって覆われてない前記活性領域の一部を残すように、前記活性領域の一部および前記活性領域によって覆われていない前記第１の電極の任意の部分の上に配置されている、前記絶縁材料を含む絶縁層と、前記活性領域および前記活性領域によって覆われていない前記絶縁層の任意の部分の上に配置されている第２の電極とを含む、エレクトロルミネセントディスプレイ。
【請求項５】
前記活性領域および絶縁層の順序が反転している、請求項４に記載のエレクトロルミネセントディスプレイ。
【請求項６】
基板と、前記基板の上に配置されている導電層であって、前記基板の上に配置され、所定のパターンにおいて前記基板の少なくとも一部を覆う第１の電極、および前記第１の電極によって覆われていない前記基板の前記部分の上に配置されている絶縁材料を含む導電層と、少なくとも前記導電層の上に配置されている半導体ナノ結晶を含む発光材料を含む活性領域であって、前記半導体ナノ結晶が、前記所定のパターンに従って１つまたは複数の所定の波長で発光するように選択されその中で配列されている活性領域と、前記発光層の上に配置されている第２の電極とを含む、エレクトロルミネセントディスプレイ。
【請求項７】
前記基板の上の前記第１の電極、絶縁層、活性領域および第２の電極の順序が反転している、請求項６に記載のエレクトロルミネセントディスプレイ。
【請求項８】
基板と、前記基板上に配置されている第１の電極と、前記第１の電極の上に配置されているパターン化発光層であって、前記第１の電極の上に配置され所定のパターンにおいて前記基板の少なくとも一部を覆う半導体ナノ結晶を含む発光材料を含む活性領域を含み、前記半導体ナノ結晶が、前記所定のパターンに従って１つまたは複数の所定の波長で発光するように選択され配列されている層と、半導体ナノ結晶を含む前記所定のパターンによって覆われていない前記第１の電極の部分の上に配置されている絶縁材料と、前記発光層の上に配置されている第２の電極とを含む、エレクトロルミネセントディスプレイ。
【請求項９】
前記基板の上の前記第１の電極、活性領域、絶縁層および第２の電極の順序が反転している、請求項８に記載のエレクトロルミネセントディスプレイ。
【請求項１０】
半導体ナノ結晶を含むエレクトロルミネセントディスプレイであって、前記半導体ナノ結晶が、それぞれ別々にアドレス可能な１つまたは複数の所定のパターンにおいて１つまたは複数の所定の波長で発光することができる、エレクトロルミネセントディスプレイ。
【請求項１１】
半導体ナノ結晶を含むエレクトロルミネセントディスプレイであって、前記半導体ナノ結晶が、１つまたは複数の所定のパターンにおいて１つまたは複数の所定の波長で発光することができ、前記半導体ナノ結晶の少なくとも一部が、追加の刺激を必要とすることなく周囲照明に応じて１つまたは複数の所定の波長の光を生成することができ、前記半導体ナノ結晶の少なくとも一部が、電気励起に応じて１つまたは複数の所定の波長の光を生成することができる、エレクトロルミネセントディスプレイ。
【請求項１２】
基板と、前記基板の上に配置されている２つの電極と、前記２つの電極間に配置されている、半導体ナノ結晶を含む発光材料を含む活性領域であって、サイズ、形状および位置が、所定のパターンの少なくともサイズ、形状および位置に対応する活性領域と、電極の１つと活性領域との間に配置されている絶縁層であって、絶縁材料によって覆われていない領域によって前記所定のパターンが画定されるように配置されている絶縁材料を含む絶縁層とを含む、エレクトロルミネセントディスプレイ。
【請求項１３】
前記電極の１つと電気的に接続しているバックプレーン回路をさらに含む、請求項１から１２のいずれか一項に記載のエレクトロルミネセントディスプレイ。
【請求項１４】
前記半導体ナノ結晶がコア／シェル構造を含む、請求項１から１３のいずれか一項に記載のエレクトロルミネセントディスプレイ。
【請求項１５】
前記半導体ナノ結晶の少なくとも一部が、その表面に結合している配位子を含む、請求項１から１４のいずれか一項に記載のエレクトロルミネセントディスプレイ。
【請求項１６】
前記所定のパターンが画像を含む、請求項１から１５のいずれか一項に記載のエレクトロルミネセントディスプレイ。
【請求項１７】
前記所定のパターンがデザインを含む、請求項１から１５のいずれか一項に記載のエレクトロルミネセントディスプレイ。
【請求項１８】
前記所定のパターンがテキストを含む、請求項１から１５のいずれか一項に記載のエレクトロルミネセントディスプレイ。
【請求項１９】
前記所定のパターンがロゴを含む、請求項１から１５のいずれか一項に記載のエレクトロルミネセントディスプレイ。
【請求項２０】
コントローラをさらに含む、請求項１から１９のいずれか一項に記載のエレクトロルミネセントディスプレイ。
【請求項２１】
前記半導体ナノ結晶が式ＭＸの材料を含み、式中、Ｍが、元素周期表の第ＩＡ族、第ＩＩＡ族、第ＩＩＢ族、第ＩＩＩＡ族、第ＩＶＡ族および／または遷移金属からの１種または複数種の元素を含み、Ｘが、元素周期表の第ＶＡ族および／または第ＶＩＡ族からの１種または複数種の元素を含む、請求項１から２０のいずれか一項に記載のエレクトロルミネセントディスプレイ。
【請求項２２】
前記半導体ナノ結晶が、元素周期表の第ＩＶＡ族からの１種または複数種の元素を含む、請求項１から２１のいずれか一項に記載のエレクトロルミネセントディスプレイ。
【請求項２３】
同じ波長で発光する前記半導体ナノ結晶のサイズの変化が、ＦＷＨＭ６０未満である、請求項１から２２のいずれか一項に記載のエレクトロルミネセントディスプレイ。
【請求項２４】
同じ波長で発光する前記半導体ナノ結晶のサイズの変化が、ＦＷＨＭ５０未満である、請求項１から２３のいずれか一項に記載のエレクトロルミネセントディスプレイ。
【請求項２５】
同じ波長で発光する前記半導体ナノ結晶のサイズの変化が、ＦＷＨＭ３０未満である、請求項１から２４のいずれか一項に記載のエレクトロルミネセントディスプレイ。
【請求項２６】
前記半導体ナノ結晶が、実質的に単分散の半導体ナノ結晶集団を含む、請求項１から２５のいずれか一項に記載のエレクトロルミネセントディスプレイ。
【請求項２７】
請求項１から２６のいずれか一項に記載のエレクトロルミネセントディスプレイを、取り付けられて含む物品。
【請求項２８】
窓、壁、建物、看板、建築物、家具、衣類、服飾装飾品、履物、帽子、被り物、宝飾品、眼鏡、サングラス、他のアイウェア、手荷物、ハンドバッグ、ブリーフケース、トートバッグ、自動車、他の乗り物、任意のタイプの航空機または水上乗物、スポーツ用品、テレビ、表示画面、ステレオ、他の音響装置および／または周辺機器、ラップトップコンピュータ、他のコンピュータハードウエアおよび／または周辺機器、ＣＤ、ＤＶＤ、電話、携帯電話、携帯型電子機器、ＰＤＡ、ＭＰ３プレーヤ、ＩＰＯＤ（Ｒ）装置、本、ボトル、消費者製品、製品パッケージングを含む、請求項２７に記載の物品。
【請求項２９】
面板、デカール、エンブレム、メダル、メダリオン、ディスク、タグ、フィルム、テープを含む、請求項２７に記載の物品。
【請求項３０】
前記エレクトロルミネセントディスプレイが固定して、または着脱可能に取り付けられている、請求項２７に記載の物品。
【請求項３１】
接着剤、Ｖｅｌｃｒｏ、または物品に前記エレクトロルミネセントディスプレイを取り付けるための他の従来の手段を含む裏当て要素をさらに含む、請求項１から２６のいずれか一項に記載のエレクトロルミネセントディスプレイ。
【請求項３２】
接着剤と、前記接着剤の上にある着脱可能な裏当て材料シートとを含む裏当て要素をさらに含む、請求項１から２６のいずれかに記載のエレクトロルミネセントディスプレイ。
【請求項３３】
前記裏当て材料が剥離紙を含む、請求項３２に記載のエレクトロルミネセントディスプレイ。
【請求項３４】
前記所定のパターンを照らすために前記エレクトロルミネセントディスプレイと電気的に接続している電源をさらに含む、請求項１から２６のいずれか一項に記載のエレクトロルミネセントディスプレイ。
【請求項３５】
前記電源が直流電源を含む、請求項３４に記載のエレクトロルミネセントディスプレイ。
【請求項３６】
前記電源が交流電源を含む、請求項３４に記載のエレクトロルミネセントディスプレイ。